(57)【要約】【課題】  簡易に精度の高い見積もりを算出することができ、また、顧客や役所等との間で交わされる様々な手続を一元的に管理することができる建築業務支援システム及び建築業務支援プログラムを提供すること。【解決手段】  入力画面１４０において建物概要領域１４１、部屋情報領域１４２及び調整費等領域１４３に設けられている入力項目に必要事項を入力することで、簡易に精度の高い見積もりを算出することができる。  また、建築工事に必要とされる各種申請手続の一覧や建築工事に関連して顧客との間で交わさなければならない顧客間手続の一覧が、フローチャートとして表されるため、これらの手続を一元的に管理することができる。【選択図】    図５
2006113940.tif 000002
【特許請求の範囲】
【請求項１】
表計算アプリケーションを用いた建築業務支援システムであって、
建物に関する情報及び部屋に関する情報を所定のセルに入力する入力手段と、
建築を行う際に必要とされる費用が、前記建物に関する情報及び前記部屋に関する情報の各々に対応して予め定められ、費用データとして記憶された記憶手段と、
前記入力手段により入力された前記建物に関する情報及び前記部屋に関する情報に基づいて前記費用データから見積もりを演算する演算手段と、
を備えることを特徴とする建築業務支援システム。
【請求項２】
前記入力手段は、所定のセルにその他の費用を入力することができるようにされており、
前記演算手段は、前記その他の費用を含めて前記見積もりを演算することを特徴とする請求項１に記載の建築業務支援システム。
【請求項３】
前記建物に関する情報には、建築面積、床面積、外壁の長さ、袖壁の長さ、出隅箇所の数、屋根の形状、屋根の勾配、断熱方法又は耐力フレームの箇所の数の内、少なくとも何れか一つが含まれていることを特徴とする請求項１又は２に記載の建築業務支援システム。
【請求項４】
前記部屋に関する情報は、部屋の数と部屋の種類とを各階毎に入力することができるようにされていることを特徴とする請求項１乃至３の何れか一項に記載の建築業務支援システム。
【請求項５】
前記記憶手段には、建築工事に必要とされる各種申請手続の一覧をフローチャートとして表す申請手続一覧データと、該フローチャートを構成する図形によって表された申請手続に必要とされる申請書類の見本を表す申請手続見本データと、が相互に関連して記憶されており、
前記申請手続一覧データを表示させた状態で、任意の前記図形を前記入力手段により選択して前記演算処理手段に対して実行指令を出すことにより、選択された前記図形によって表された申請手続に必要とされる申請書類の見本が表示されるようにされていることを特徴とする請求項１乃至４の何れか一項に記載の建築業務支援システム。
【請求項６】
前記申請書類の見本を表示した状態で、前記入力手段により前記申請書類の見本に対して加筆又は修正を加えることができるようにされていることを特徴とする請求項５に記載の建築業務支援システム。
【請求項７】
前記記憶手段には、建築工事に必要とされる工事日程の一覧をフローチャートとして表す工事日程一覧データが記憶されており、
所定の欄に日付を前記入力手段により入力することにより、各工事の期限が前記演算処理手段において演算され、前記工事日程一覧データ内において表示されるようにされていることを特徴とする請求項１乃至６の何れか一項に記載の建築業務支援システム。
【請求項８】
前記工事日程一覧データを表示させた状態で、任意の前記期限を修正した際には、前記演算処理手段は、修正された期限に対応して、修正された日付以降の工事期限に自動的に修正を加えることを特徴とする請求項７に記載の建築業務支援システム。
【請求項９】
前記記憶手段には、建築工事に必要とされる工事日程の一覧と、建築工事に必要とされる各種申請手続の一覧と、をフローチャートとして表す手続一覧データと、該フローチャートを構成する図形によって表された申請手続に必要とされる申請書類の見本を表す申請手続見本データと、が相互に関連して記憶されており、
所定の欄に日付を前記入力手段により入力することにより、各工事と各種申請手続と各種発注手続の期限が前記演算処理手段において演算され、前記手続一覧データ内において表示され、
前記手続一覧データを表示させた状態で、任意の前記図形を前記入力手段により選択して前記演算処理手段に対して実行指令を出すことにより、選択された前記図形によって表された申請手続に必要とされる申請書類の見本が表示されるようにされていることを特徴とする請求項１乃至４の何れか一項に記載の建築業務支援システム。
【請求項１０】
前記申請書類の見本を表示した状態で、前記入力手段により前記申請書類の見本に対して加筆又は修正を加えることができるようにされていることを特徴とする請求項９に記載の建築業務支援システム。
【請求項１１】
前記手続一覧データを表示させた状態で、任意の前記期限を修正した際には、前記演算処理手段は、修正された期限に対応して、修正された日付以降の期限に自動的に修正を加えることを特徴とする請求項９又は１０に記載の建築業務支援システム。
【請求項１２】
前記記憶手段には、建築工事に関連して顧客との間で交わさなければならない顧客間手続の一覧をフローチャートとして表す顧客間手続一覧データと、該フローチャートを構成する図形によって表された顧客間手続に必要とされる手続書類の見本を表す顧客間手続見本データと、が相互に関連して記憶されており、
前記顧客間手続一覧データを表示させた状態で、任意の前記図形を前記入力手段により選択して前記演算処理手段に対して実行指令を出すことにより、選択された前記図形によって表された顧客間手続に必要とされる手続書類の見本が表示されるようにされていることを特徴とする請求項１乃至１１の何れか一項に記載の建築業務支援システム。
【請求項１３】
前記手続書類の見本を表示した状態で、前記入力手段により前記手続書類の見本に対して加筆又は修正を加えることができるようにされていることを特徴とする請求項１２に記載の建築業務支援システム。
【請求項１４】
前記記憶手段には、建築工事に必要とされる資材・外注工事の各種発注書類の見本を表す発注書類見本データが記憶されており、
前記発注書類見本データを表示させた状態で、前記入力手段により前記発注書類の見本に対して加筆又は修正を加えることができるようにされていることを特徴とする請求項１乃至１３の何れか一項に記載の建築業務支援システム。
【請求項１５】
前記手続書類の見本には、少なくとも支払金額と支払期限日とを所定の欄に入力する工事請負契約書が含まれており、
前記発注書類の見本には、少なくとも発注金額と払い込み期限日とが所定の欄に入力されるようになっており、
前記演算手段は、前記支払金額及び前記支払い期限日と前記発注金額及び前記払い込み期限日とに基づいて、所定の期間における出入金の差額を演算し、所定の期間における入金額、出金額及び出入金の差額を所定の一覧表に表すキャッシュフロー表を作成することを特徴とする請求項１４に記載の建築業務支援システム。
【請求項１６】
前記所定の期間は、一月を単位とするものであることを特徴とする請求項１５に記載の建築業務支援システム。
【請求項１７】
前記演算手段は、前記差額の累計を演算することを特徴とする請求項１５又は１６に記載の建築業務支援システム。
【請求項１８】
表計算アプリケーションにおいて動作する建築業務支援プログラムであって、
コンピュータを、
建物に関する情報及び部屋に関する情報を所定のセルに入力する入力手段、
建築を行う際に必要とされる費用が、前記建物に関する情報及び前記部屋に関する情報の各々に対応して予め定められ、費用データとして記憶された記憶手段、
前記入力手段により入力された前記建物に関する情報及び前記部屋に関する情報に基づいて前記費用データから見積もりを演算する演算手段、
として機能させることを特徴とする建築業務支援プログラム。
【請求項１９】
前記入力手段は、所定のセルにその他の費用を入力することができるようにされており、
前記演算手段は、前記その他の費用を含めて前記見積もりを演算することを特徴とする請求項１８に記載の建築業務支援プログラム。
【請求項２０】
前記建物に関する情報には、建築面積、床面積、外壁の長さ、袖壁の長さ、出隅箇所の数、屋根の形状、屋根の勾配、断熱方法又は耐力フレームの箇所の数の内、少なくとも何れか一つが含まれていることを特徴とする請求項１８又は１９に記載の建築業務支援プログラム。
【請求項２１】
前記部屋に関する情報は、部屋の数と部屋の種類とを各階毎に入力することができるようにされていることを特徴とする請求項１８乃至２０の何れか一項に記載の建築業務支援プログラム。
【請求項２２】
前記記憶手段には、建築工事に必要とされる各種申請手続の一覧をフローチャートとして表す申請手続一覧データと、前記フローチャートを構成する図形によって表された申請手続に必要とされる申請書類の見本を表す申請手続見本データと、が相互に関連して記憶されており、
前記申請手続一覧データを表示させた状態で、任意の前記図形を前記入力手段により選択して前記演算処理手段に対して実行指令を出すことにより、選択された前記図形によって表された申請手続に必要とされる申請書類の見本が表示されるようにされていることを特徴とする請求項１８乃至２１の何れか一項に記載の建築業務支援プログラム。
【請求項２３】
前記申請書類の見本を表示した状態で、前記入力手段により前記申請書類の見本に対して加筆又は修正を加えることができるようにされていることを特徴とする請求項２２に記載の建築業務支援プログラム。
【請求項２４】
前記記憶手段には、建築工事に必要とされる工事日程の一覧をフローチャートとして表す工事日程一覧データが記憶されており、
所定の欄に日付を前記入力手段により入力することにより、各工事の期限が前記演算処理手段において演算され、前記工事日程一覧データ内において表示されるようにされていることを特徴とする請求項１８乃至２３の何れか一項に記載の建築業務支援プログラム。
【請求項２５】
前記工事日程一覧データを表示させた状態で、任意の前記期限を修正した際には、前記演算処理手段は、修正された期限に対応して、修正された日付以降の工事期限に自動的に修正を加えることを特徴とする請求項２４に記載の建築業務支援プログラム。
【請求項２６】
前記記憶手段には、建築工事に必要とされる工事日程の一覧と、建築工事に必要とされる各種申請手続の一覧と、をフローチャートとして表す手続一覧データと、該フローチャートを構成する図形によって表された申請手続に必要とされる申請書類の見本を表す申請手続見本データと、が相互に関連して記憶されており、
所定の欄に日付を前記入力手段により入力することにより、各工事と各種申請手続と各種発注手続の期限が前記演算処理手段において演算され、前記手続一覧データ内において表示され、
前記手続一覧データを表示させた状態で、任意の前記図形を前記入力手段により選択して前記演算処理手段に対して実行指令を出すことにより、選択された前記図形によって表された申請手続に必要とされる申請書類の見本が表示されるようにされていることを特徴とする請求項１８乃至２２の何れか一項に記載の建築業務支援プログラム。
【請求項２７】
前記申請書類の見本を表示した状態で、前記入力手段により前記申請書類の見本に対して加筆又は修正を加えることができるようにされていることを特徴とする請求項２６に記載の建築業務支援プログラム。
【請求項２８】
前記手続一覧データを表示させた状態で、任意の前記期限を修正した際には、前記演算処理手段は、修正された期限に対応して、修正された日付以降の期限に自動的に修正を加えることを特徴とする請求項２６又は２７に記載の建築業務支援プログラム。
【請求項２９】
前記記憶手段には、建築工事に関連して顧客との間で交わさなければならない顧客間手続の一覧をフローチャートとして表す顧客間手続一覧データと、該フローチャートを構成する図形によって表された顧客間手続に必要とされる手続書類の見本を表す顧客間手続見本データと、が相互に関連して記憶されており、
前記顧客間手続一覧データを表示させた状態で、任意の前記図形を前記入力手段により選択して前記演算処理手段に対して実行指令を出すことにより、選択された前記図形によって表された顧客間手続に必要とされる手続書類の見本が表示されるようにされていることを特徴とする請求項１８乃至２８の何れか一項に記載の建築業務支援プログラム。
【請求項３０】
前記手続書類の見本を表示した状態で、前記入力手段により前記手続書類の見本に対して加筆又は修正を加えることができるようにされていることを特徴とする請求項２９に記載の建築業務支援プログラム。
【請求項３１】
前記手続書類の見本には、少なくとも支払金額と支払期限日とを所定の欄に入力する工事請負契約書が含まれており、
前記発注書類の見本には、少なくとも発注金額と払い込み期限日とが所定の欄に入力されるようになっており、
前記演算手段は、前記支払金額及び前記支払い期限日と前記発注金額及び前記払い込み期限日とに基づいて、所定の期間における出入金の差額を演算し、所定の期間における入金額、出金額及び出入金の差額を所定の一覧表に表すキャッシュフロー表を作成することを特徴とする請求項３０に記載の建築業務支援プログラム。
【請求項３２】
前記所定の期間は、一月を単位とするものであることを特徴とする請求項３１に記載の建築業務支援プログラム。
【請求項３３】
前記演算手段は、前記差額の累計を演算することを特徴とする請求項３１又は３２に記載の建築業務支援プログラム。
【発明の詳細な説明】
【技術分野】
【０００１】
本発明は、建築業務支援システム及び建築業務支援プログラムに関する。
【背景技術】
【０００２】
従来、住宅の建築を行う際には、予め定めた坪単価に建築物の坪数を乗算して見積もりを算出する簡易見積もりと、住宅建築の積算担当者が全ての必要部材を取捨選択しながら、詳細な見積もりを算出する詳細見積もりが行われていた。
【０００３】
また、建築業務には様々な業務があるが、それぞれの業務で使用する業務システム（アプリケーション）については、各業務部門が個別に選択し、使用していた。
【０００４】
さらに、営業部門においても、担当物件の情報については、営業担当者が個別に管理していた。
【０００５】
そして、住宅の建築には、様々な業者に様々な部材や工事を発注して行われるが、これらの発注処理についても一元的な管理はなされていなかった。
【０００６】
また、住宅の建築には、役所等に対して多種多様な申請書を出す必要があったが、これらの申請書については、その都度手書きにより作成していた。
【０００７】
さらに、建築業務を行う際の入金予定や出金予定は、財務管理部門が発注書や請求書などの情報を全て管理する必要があった。
【発明の開示】
【発明が解決しようとする課題】
【０００８】
しかしながら、上述した簡易見積もりでは、坪単価に基づいた見積もりにすぎないため、実際に建築をする際の詳細な見積もりとは大きな開きがあり、個別に金額を調整する必要があった。
【０００９】
また、上述した詳細見積もりを出すには、多大な時間と労力が必要となり、客先で建築の勧誘を行う際に、このような詳細な見積もりを出すことはできなかった。
【００１０】
さらに、実際に住宅の建築を行う際には、顧客との間や役所等との間で様々な手続をしなければならず、このような手続を一元的に管理することは困難であった。
【００１１】
そして、様々な業務で使用する業務システム（アプリケーション）を使用したのでは、情報を共有化ができなかった。そのため、有用な情報の共同使用ができず、また、各業務部門毎に情報の重複管理が行われ、非効率であった。
【００１２】
また、建築部材や建築工事の発注処理を個別に管理したのでは、全ての部材や工事を取捨選択（手拾い）しながら発注内容を処理していくので、多大な時間と労力が必要とされていた。
【００１３】
さらに、住宅の建築に必要とされる多種多様な申請書を手書きにより作成するのには、多大な時間と労力が必要とされていた。この点、申請書の記載事項については、通常、同様な内容となることが多いため、個別に申請書を作成する場合には、繰り返し記述する手間が多大に発生していた。
【００１４】
加えて、建築業務を行う際の入金予定や出金予定を財務管理部門において全て管理する場合には、通常、複数月をまたぐ入金、出金予定を即座に把握することは困難であった。
【００１５】
なお、従来、このような管理を行うシステムは存在していなかったため、先行技術の表示は行わない。
【００１６】
そこで、本発明は、簡易に精度の高い見積もりを算出することができ、また、顧客や役所等との間で交わされる様々な手続や出入金の額を一元的に管理することができる建築業務支援システム及び建築業務支援プログラムを提供することを目的とする。
【課題を解決するための手段】
【００１７】
以上の課題を解決するため、本発明は、表計算アプリケーションを用いた建築業務支援システムであって、建物に関する情報及び部屋に関する情報を所定のセルに入力する入力手段と、建築を行う際に必要とされる費用が、前記建物に関する情報及び前記部屋に関する情報の各々に対応して予め定められ、費用データとして記憶された記憶手段と、前記入力手段により入力された前記建物に関する情報及び前記部屋に関する情報に基づいて前記費用データから見積もりを演算する演算手段と、を備えることを特徴とする建築業務支援システムを提供する。
【００１８】
このような建築業務支援システムを提供することで、建物に関する情報と部屋に関する情報を入力することにより、高精度の見積もりを出すことができるようになる。
【００１９】
また、入力手段により所定のセルにその他の費用を入力することができるようにし、このようにして入力されたその他の費用を含めて演算手段は見積もりを演算するようにすることもできる。
【００２０】
このように、その他の費用を別途入力することができるようにすることで、例えば、駐車場の料金や廃棄物の処理代等が発生することがわかっている場合等に、これらの料金を含めて精度の高い見積もりを算出することができるようになる。
【００２１】
ここで、建物に関する情報には、建築面積、床面積、外壁の長さ、袖壁の長さ、出隅箇所の数、屋根の形状、屋根の勾配、断熱方法、耐力フレームの箇所の数、といったものがある。
【００２２】
また、部屋に関する情報には、部屋の数と部屋の種類とを各階毎に入力することができるようにしておくことが望ましい。
【００２３】
なお、部屋の種類としては、和室、洋室、キッチン、リビング、ダイニング、洗面所、トイレ、バス、階段室、寝室、納戸、クロゼット、の内から選択することができるようにしておくことが望ましい。
【００２４】
また、部屋に関する情報としては、さらに和室の合計帖数やビルトインガレージの帖数を入力することができるようにすることも可能である。
【００２５】
記憶手段に、建築工事に必要とされる各種申請手続の一覧をフローチャートとして表す申請手続一覧データと、このフローチャート中の図形によって表された申請手続に必要とされる申請書類の見本を表す申請手続見本データと、を相互に関連させて記憶されておき、申請手続一覧データを表示させた状態で、任意の図形を入力手段により選択して演算処理手段に対して実行指令を出すことにより、選択された図形によって表された申請手続に必要とされる申請書類の見本が表示されるようにすることも可能である。
【００２６】
このようなフローチャートにより、各種申請手続のタイミングや申請先が明らかになり、効率的にこれらの手続を行うことができるようになるとともに、申請書類の見本が表示されるため、容易にこのような申請書類を作成することが可能となる。
【００２７】
なお、申請書類の見本を表示した状態で、入力手段によりこの申請書類の見本に対して加筆又は修正を加えることができるようにすることで、より容易に申請書類を作成することができるようになる。
【００２８】
また、記憶手段に、建築工事に必要とされる工事日程の一覧をフローチャートとして表す工事日程一覧データを記憶しておき、所定の欄に日付を入力手段により入力することで、各工事の期限が演算処理手段において演算され、工事日程一覧データ内において表示されるようにすることも可能である。
【００２９】
このようなフローチャートにより、工事日程を具体的に確認することができるようになる。
【００３０】
なお、工事日程一覧データを表示させた状態で、任意の期限を修正した際には、演算処理手段は、修正された期限に対応して、修正された日付以降の工事期限に自動的に修正を加えることができるようにすることで、日程に変更が生じた際にも、変更後の日程を容易に確認することができるようになる。
【００３１】
さらに、記憶手段に、建築工事に必要とされる工事日程の一覧と、建築工事に必要とされる各種申請手続の一覧と、をフローチャートとして表す手続一覧データと、このフローチャートを構成する図形によって表された申請手続に必要とされる申請書類の見本を表す申請手続見本データと、を相互に関連して記憶しておき、所定の欄に日付を入力手段により入力することで、各工事と各種申請手続の期限が演算処理手段において演算され、手続一覧データ内において表示されるようにし、この手続一覧データを表示させた状態で、フローチャートを構成する任意の図形を入力手段により選択して演算処理手段に対して実行指令を出すことにより、選択された図形によって表された申請手続に必要とされる申請書類又は発注書類の見本が表示されるようにすることも可能である。
【００３２】
そして、申請書類又は発注書類の見本を表示した状態で、入力手段により申請書類の見本に対して加筆又は修正を加えることができるようにすることで、容易にこの書類を作成することができるようになる。
【００３３】
なお、手続一覧データを表示させた状態で、任意の期限を修正した際には、演算処理手段は、修正された期限に対応して、修正された日付以降の期限に自動的に修正を加えるようにすることで、日程に変更が生じた際にも、変更後の日程を容易に確認することができるようになる。
【００３４】
また、記憶手段に、建築工事に関連して顧客との間で交わさなければならない顧客間手続の一覧をフローチャートとして表す顧客間手続一覧データと、このフローチャート中の図形によって表された顧客間手続に必要とされる手続書類の見本を表す顧客間手続見本データと、を相互に関連させて記憶しておき、顧客間手続一覧データを表示させた状態で、任意の図形を入力手段により選択して演算処理手段に対して実行指令を出すことにより、選択された図形によって表された顧客間手続に必要とされる手続書類の見本が表示されるようにすることも可能である。
【００３５】
このようなフローチャートにより、顧客との間の各種手続のタイミングが明らかになり、効率的にこれらの手続を行うことができるようになるとともに、顧客に提示する書類の見本が表示されるため、容易にこのような書類を作成することが可能となる。
【００３６】
なお、手続書類の見本を表示した状態で、入力手段によりこの手続書類の見本に対して加筆又は修正を加えることができるようにすることで、より容易に手続書類を作成することができるようになる。
【００３７】
また、記憶手段に、建築工事に必要とされる資材・外注工事の各種発注書類の見本を表す発注書類見本データを記憶しておき、この発注書類見本データを表示させた状態で、入力手段によりこの発注書類の見本に対して加筆又は修正を加えることができるようにすることで、容易に発注書類を作成することができるようになる。
【００３８】
ここで、上述した手続書類の見本には、少なくとも支払金額と支払期限日とを所定の欄に入力する工事請負契約書が含まれており、また、発注書類の見本には、少なくとも発注金額と払い込み期限日とを所定の欄に入力するようにされており、演算手段は、入力されたこれらの支払金額及び支払い期限日と発注金額及び払い込み期限日とに基づいて、所定の期間における出入金の差額を演算し、所定の期間における入金額、出金額及び出入金の差額を所定の一覧表に表すキャッシュフロー表を作成するようにすることで、工事に関連したお金の出入りを容易に管理することができるようになる。
【００３９】
また、この所定の期間については、一月を単位として出入金の差額が演算されるようにすることで、各月毎にキャッシュフローを管理することができ、各月毎の差額の累計を演算することで、赤字と黒字の転換時期を容易に把握することができる。
【００４０】
また、本発明は、表計算アプリケーションにおいて動作する建築業務支援プログラムであって、コンピュータを建物に関する情報及び部屋に関する情報を所定のセルに入力する入力手段、建築を行う際に必要とされる費用が、前記建物に関する情報及び前記部屋に関する情報の各々に対応して予め定められ、費用データとして記憶された記憶手段、前記入力手段により入力された前記建物に関する情報及び前記部屋に関する情報に基づいて前記費用データから見積もりを演算する演算手段、として機能させることを特徴とする建築業務支援プログラムを提供する。
【００４１】
このようなプログラムを提供することにより、このようなプログラムをコンピュータにインストールすることで、上述の建築業務支援システムを構成することが可能となる。
【００４２】
また、入力手段により所定のセルにその他の費用を入力することができるようにし、このようにして入力されたその他の費用を含めて演算手段は見積もりを演算する用にすることもできる。
【００４３】
このように、その他の費用を別途入力することができるようにすることで、例えば、駐車場の料金や廃棄物の処理代等が発生することがわかっている場合等に、これらの料金を含めて精度の高い見積もりを算出することができるようになる。
【００４４】
ここで、建物に関する情報には、建築面積、床面積、外壁の長さ、袖壁の長さ、出隅箇所の数、屋根の形状、屋根の勾配、断熱方法、耐力フレームの箇所の数、といったものがある。
【００４５】
また、部屋に関する情報には、部屋の数と部屋の種類とを各階毎に入力することができるようにしておくことが望ましい。
【００４６】
なお、部屋の種類としては、和室、洋室、キッチン、リビング、ダイニング、洗面所、トイレ、バス、階段室、寝室、納戸、クロゼット、の内から選択することができるようにしておくことが望ましい。
【００４７】
また、部屋に関する情報としては、さらに和室の合計帖数やビルトインガレージの帖数を入力することができるようにすることも可能である。
【００４８】
記憶手段に、建築工事に必要とされる各種申請手続の一覧をフローチャートとして表す申請手続一覧データと、このフローチャート中の図形によって表された申請手続に必要とされる申請書類の見本を表す申請手続見本データと、を相互に関連させて記憶されておき、申請手続一覧データを表示させた状態で、任意の図形を入力手段により選択して演算処理手段に対して実行指令を出すことにより、選択された図形によって表された申請手続に必要とされる申請書類の見本が表示されるようにすることも可能である。
【００４９】
このようなフローチャートにより、各種申請手続のタイミングや申請先が明らかになり、効率的にこれらの手続を行うことができるようになるとともに、申請書類の見本が表示されるため、容易にこのような申請書類を作成することが可能となる。
【００５０】
なお、申請書類の見本を表示した状態で、入力手段によりこの申請書類の見本に対して加筆又は修正を加えることができるようにすることで、より容易に申請書類を作成することができるようになる。
【００５１】
また、記憶手段に、建築工事に必要とされる工事日程の一覧をフローチャートとして表す工事日程一覧データを記憶しておき、所定の欄に日付を入力手段により入力することで、各工事の期限が演算処理手段において演算され、工事日程一覧データ内において表示されるようにすることも可能である。
【００５２】
このようなフローチャートにより、工事日程を具体的に確認することができるようになる。
【００５３】
なお、工事日程一覧データを表示させた状態で、任意の期限を修正した際には、演算処理手段は、修正された期限に対応して、修正された日付以降の工事期限に自動的に修正を加えることができるようにすることで、日程に変更が生じた際にも、変更後の日程を容易に確認することができるようになる。
【００５４】
さらに、記憶手段に、建築工事に必要とされる工事日程の一覧と、建築工事に必要とされる各種申請手続の一覧と、をフローチャートとして表す手続一覧データと、このフローチャートを構成する図形によって表された申請手続に必要とされる申請書類の見本を表す申請手続見本データと、を相互に関連して記憶しておき、所定の欄に日付を入力手段により入力することで、各工事と各種申請手続の期限が演算処理手段において演算され、手続一覧データ内において表示されるようにすることができ、この手続一覧データを表示させた状態で、フローチャートを構成する任意の図形を入力手段により選択して演算処理手段に対して実行指令を出すことにより、選択された図形によって表された申請手続に必要とされる申請書類の見本が表示されるようにすることも可能である。
【００５５】
そして、申請書類の見本を表示した状態で、入力手段により申請書類の見本に対して加筆又は修正を加えることができるようにすることで、容易にこの書類を作成することができるようになる。
【００５６】
なお、手続一覧データを表示させた状態で、任意の期限を修正した際には、演算処理手段は、修正された期限に対応して、修正された日付以降の期限に自動的に修正を加えるようにすることで、日程に変更が生じた際にも、変更後の日程を容易に確認することができるようになる。
【００５７】
また、記憶手段に、建築工事に関連して顧客との間で交わさなければならない顧客間手続の一覧をフローチャートとして表す顧客間手続一覧データと、このフローチャート中の図形によって表された顧客間手続に必要とされる手続書類の見本を表す顧客間手続見本データと、を相互に関連させて記憶しておき、顧客間手続一覧データを表示させた状態で、任意の図形を入力手段により選択して演算処理手段に対して実行指令を出すことにより、選択された図形によって表された顧客間手続に必要とされる手続書類の見本が表示されるようにすることも可能である。
【００５８】
このようなフローチャートにより、顧客との間の各種手続のタイミングが明らかになり、効率的にこれらの手続を行うことができるようになるとともに、顧客に提示する書類の見本が表示されるため、容易にこのような書類を作成することが可能となる。
【００５９】
なお、手続書類の見本を表示した状態で、入力手段によりこの手続書類の見本に対して加筆又は修正を加えることができるようにすることで、より容易に手続書類を作成することができるようになる。
【００６０】
また、記憶手段に、建築工事に必要とされる資材・外注工事の各種発注書類の見本を表す発注書類見本データを記憶しておき、この発注書類見本データを表示させた状態で、入力手段によりこの発注書類の見本に対して加筆又は修正を加えることができるようにすることで、容易に発注書類を作成することができるようになる。
【００６１】
ここで、上述した手続書類の見本には、少なくとも支払金額と支払期限日とを所定の欄に入力する工事請負契約書が含まれており、また、発注書類の見本には、少なくとも発注金額と払い込み期限日とを所定の欄に入力するようにされており、演算手段は、入力されたこれらの支払金額及び支払い期限日と発注金額及び払い込み期限日とに基づいて、所定の期間における出入金の差額を演算し、所定の期間における入金額、出金額及び出入金の差額を所定の一覧表に表すキャッシュフロー表を作成するようにすることで、工事に関連したお金の出入りを容易に管理することができるようになる。
【００６２】
また、この所定の期間については、一月を単位として出入金の差額が演算されるようにすることで、各月毎にキャッシュフローを管理することができ、各月毎の差額の累計を演算することで、赤字と黒字の転換時期を容易に把握することができる。
【発明の効果】
【００６３】
以上のように、本発明によれば、建物に関する情報と部屋に関する情報とを入力するだけで、簡易に精度の高い見積もりを算出することができるとともに、各種申請手続の一覧や顧客間手続の一覧がフローチャートとして表示されるため、顧客や役所等との間で交わされる様々な手続を一元的に管理することができる。このため、各担当者が業務システムに情報を入力することで、建築業務にかかわる各部門の関係者が必要な情報を即座に把握することが可能であり、また、各物件毎の情報を二重管理する無駄をなくし、入力・管理の手間を省力化することができる。さらに、受注清算で見積もられた内容に対して、工程表の予定日情報をふまえて、発注するタイミングを管理しながら、必要なリードタイムを想定した発注計画を立てることが可能となる。
【００６４】
また、本発明によれば、申請著の見本が記憶されているため、容易に申請書を作成することができるようになる。
【００６５】
さらに、本発明によれば、出入金の差額を容易に把握することができるため、キャッシュフローの管理を容易に行うことができる。そして、各物件毎の入出金予定や、社内全ての管理物件に対する入出金予定が即座に明確になるため、社内のキャッシュフローを中・長期的な範囲で把握して経営を行うことができるようになる。
【発明を実施するための最良の形態】
【００６６】
図１は、本発明の一実施形態に係る建築業務支援システム１００の概略構成図である。
【００６７】
本実施形態に係る建築業務支援システム１００は、ＣＰＵ（Ｃｅｎｔｒａｌ  Ｐｒｏｃｅｓｓｉｎｇ  Ｕｎｉｔ）１０１、主メモリ１０２及び補助メモリ１０３を備えるパーソナルコンピュータ１０４と、ディスプレイ１０５と、キーボード１０６と、マウス１０７と、プリンター１０８と、により構成されている。
【００６８】
ＣＰＵ１０１は、プログラムの実行や各種の演算などを行う装置である。
【００６９】
主メモリ１０２は、プログラムやデータを一時的に保存するための記憶装置である。
【００７０】
補助メモリ１０３は、補助記憶装置であり、電源を切っても記憶されているプログラムやデータが消えないようにされている。
【００７１】
ここで、補助メモリ１０３には、パーソナルコンピュータ１０４を稼働させるためのＯＳ（Ｏｐｅｒａｔｉｎｇ  Ｓｙｓｔｅｍ）と、表計算アプリケーションと、建築業務支援システムの実行プログラムと、その他各種アプリケーションプログラムと、後述する費用データと、工事日程・申請手続一覧データと、申請手続見本データと、顧客間手続一覧データと、顧客間手続見本データと、が記憶されている。
【００７２】
本実施形態においては、ＯＳとして株式会社マイクロソフト社の「Ｗｉｎｄｏｗｓ」（登録商標）を用いており、また、表計算アプリケーションとして株式会社マイクロソフト社の「Ｅｘｃｅｌ」（登録商標）を用いているが、これらに限定されない。
【００７３】
以上のように構成される本実施形態に係る建築業務支援システム１００は、以下のように使用される。
【００７４】
入力手段であるキーボード１０６又はマウス１０７を用いて補助メモリ１０３に記憶されている建築業務支援システムの実行プログラムを実行すると、ディスプレイ１０５に図２に表されているメインメニュー１１０が表示される。
【００７５】
メインメニュー１１０には、少なくとも「新規登録」の実行ボタン１１１ａ、「検索」の実行ボタン１１１ｂ、「登録情報の修正」の実行ボタン１１１ｃ、「詳細情報の入力・修正」の実行ボタン１１１ｄ、「営業進捗表の表示」の実行ボタン１１１ｅ、「工事工程表の表示」の実行ボタン１１１ｆ、「受注積算システム」の実行ボタン１１１ｇ、「発注積算システム」の実行ボタン１１１ｈ、「単価マスタ」の実行ボタン１１１ｉ及び「入出金管理システム」の実行ボタン１１１ｊが形成されている。
【００７６】
まず、「新規登録」の実行ボタン１１１ａをキーボード１０６又はマウス１０７を用いて選択して実行すると、図３に表されている顧客情報の入力画面１２０が表示される。
【００７７】
顧客情報の入力画面１２０では、受付日、登録日、顧客Ｎｏ、顧客の氏名・生年月日・年齢・性別・職業・住所・電話番号・ファックス番号・携帯電話番号・電子メールアドレス、建築計画の概要、建築時期、予定地の有無・坪数・住所、予算、広告媒体、ヒヤリングの詳細、を入力することができるようにされており、これらを入力して「ＯＫ」の実行ボタン１２１をキーボード１０６又はマウス１０７を用いて選択して実行すると、補助メモリ１０３にこの顧客に関する情報を記憶するフォルダが割り当てられ、このフォルダにこれらの情報が基本登録情報データとして記憶される。
【００７８】
なお、基本登録情報データについては、「登録情報の修正」の実行ボタン１１１ｃを選択して実行することにより、ディスプレイ１０５上に表示させて修正することができるようにされている。
【００７９】
このようにして記憶された基本登録情報データは、メインメニュー１１０の「検索」の実行ボタン１１１ｂを選択して実行することにより、検索することができるようにされている。
【００８０】
具体的には、メインメニュー１１０の「検索」の実行ボタン１１１ｂを選択して実行すると、図４に表されている検索画面１３０が表示され、顧客Ｎｏ、顧客の氏名・フリガナにより検索が可能であるほか、顧客の氏名をあ行、か行、さ行、た行、な行、は行、ま行、や行、ら行、わ行、その他によって分類された一覧表の中から検索することができるようにされている。
【００８１】
このようにして検索された基本登録情報データのデータファイル名をメインメニュー１１０のデータファイル名表示欄１１２に表示することにより、この基本登録情報データに入力されている顧客に関して、後述する見積もり等を作成することができるようにされており、作成されたデータはその顧客に割り当てられているフォルダ内に記憶される。
【００８２】
データファイル名表示欄１１２に所望の顧客の基本登録情報データのデータファイル名を表示させた状態で、「受注積算システム」の実行ボタン１１１ｇをキーボード１０６又はマウス１０７を用いて選択して実行すると、表計算アプリケーションが立ち上がり、その作業領域に図５に表されている入力画面１４０が表示される。
【００８３】
入力画面１４０は、建物に関する情報を入力する建物概要領域１４１と、部屋に関する情報を入力する部屋情報領域１４２と、その他の費用に関する情報を入力する調整費等領域１４３と、に分けられている。
【００８４】
建物概要領域１４１には、建築面積、床面積、一階外壁長、一階袖壁長、一階出隅箇所数、二階外壁長、二階袖壁長、二階出隅箇所数、三階外壁長、三階袖壁長、三階出隅箇所数、屋根形状、屋根勾配、断熱方法、耐力フレームといった入力項目が形成されており、それぞれの入力項目にそれぞれ必要事項を入力するためのセルが割り当てられており、これらのセルに情報を入力する。
【００８５】
例えば、建築面積の入力項目には、建築面積をｍ2の単位で面積を直接セルに入力することができるようにされている。
【００８６】
同様に、建築面積、床面積（一階、二階、三階をそれぞれ別個に入力）、一階外壁長（横幅をＸ軸、高さをＹ軸として入力）、一階袖壁長、一階出隅箇所数、二階外壁長（横幅をＸ軸、高さをＹ軸として入力）、二階袖壁長、二階出隅箇所数、三階外壁長（横幅をＸ軸、高さをＹ軸として入力）、三階袖壁長、三階出隅箇所数、屋根勾配、耐力フレームの入力項目については、予め定められた単位に従って、それぞれの入力項目に割り当てられているセルに直接数字を入力することができるようにされている。
【００８７】
一方、屋根形状及び断熱方法の入力項目は、プルダウンメニューからこれらの入力項目に該当する情報を選択して入力することができるようにされている。
【００８８】
なお、外壁に重複する部分がある場合には、重複長さの入力項目に割り当てられているセルに重複する部分の長さ（ｍ）を入力することができるようにされている。
【００８９】
部屋情報領域１４２には、一階の部屋の名前を入力する一階室名入力項目１４２ａと、二階の部屋の名前を入力する二階室名入力項目１４２ｂと、三階の部屋の名前を入力する三階室名入力項目１４２ｃと、全ての階の和室の帖数の合計を入力する和室帖数合計入力項目１４２ｄと、ビルトインガレージの帖数を入力するビルトインガレージ帖数入力項目１４２ｅと、が設けられている。
【００９０】
一階室名入力項目１４２ａ、二階室名入力項目１４２ｂ及び三階室名入力項目１４２ｃは、名前を入力することができるようにセルがそれぞれ十部屋分割り当てられており、このセルにプルダウンメニューから部屋名を選択することにより、部屋の種類と数を選択することができるようにされている。
【００９１】
また、和室帖数合計入力項目１４２ｄ及びビルトインガレージ帖数入力項目１４２ｅには、それぞれの帖数を割り当てられているセルに直接入力するようにされている。
【００９２】
ここで、パーソナルコンピュータ１０４の補助メモリ１０３には、建物概要領域１４１及び部屋情報領域１４２のそれぞれに設けられている入力項目に対応させて、建築を行う際に必要とされる費用のデータが費用データとして記憶されているが、建物概要領域１４１及び部屋情報領域１４２のそれぞれに設けられている入力項目の内、数値を直接入力することとした入力項目については、単位数量あたりの費用額が費用データとして記憶されており、プルダウンメニューにより選択して入力することとした入力項目については、それぞれの選択肢毎に予め定められている費用額が費用データとして記憶されている。
【００９３】
従って、数値が直接入力された入力項目については、入力された数値に単位数量あたりの費用額を乗算し、また、プルダウンメニューにより選択された入力項目については、選択された選択肢に該当する費用額を集計し、それぞれを積算することにより、ＣＰＵ１１１は、見積もりを演算することができるようになる。
【００９４】
なお、調査費等領域１４３には、建物概要領域１４１及び部屋情報領域１４２に設けられている入力項目以外でかかる費用額を入力する。
【００９５】
例えば、材料費が高騰した場合や特殊な材料・資材を使用することを希望する場合等には、原価調整費の入力項目に割り当てられたセルに、傾斜地や沼地等で残土の処理が必要な場合には、残土処理費の入力項目に割り当てられたセルに、車を止めるスペースがない等の場合には、駐車場費用の入力項目に割り当てられたセルに、その他の理由で費用がかかる場合には調整費等領域１４３の４又は５の番号が振られた入力項目に割り当てられたセルに、それぞれ必要とされる費用額を直接入力することにより、ＣＰＵ１０１は、これらに入力された額を建物概要領域１４１及び部屋情報領域１４２で入力された入力項目により算出される額に加えることで、見積もりを演算する。
【００９６】
なお、パーソナルコンピュータ１０４の補助メモリ１０３に記憶されている費用データについては、メインメニュー１１０に設けられている「単価マスタ」の実行ボタン１１１ｉを選択して実行することで、例えば、建物概要領域１４１の入力項目に対応する費用の一覧表示画面１５０（図６参照）や部屋情報領域１４２の入力項目に対応する費用の一覧表示画面１６０（図７参照）を呼び出すことができるようにされており、これらの画面上で費用データを修正することができるようにされている。
【００９７】
例えば、図６に表されている建物概要領域１４１の入力項目に対応する費用の一覧表示画面１５０において、単価の列に記載されている数値を他の数値に入れ替えることにより、建物概要領域１４１の入力項目で直接入力された数値に乗算する単位費用の額を変更することができる。
【００９８】
また、図７に表されている部屋情報領域１４２の入力項目に対応する費用の一覧表示画面１６０において、選択される部屋に必要な電気工事の箇所を増減させることにより、その部屋を選択した際の費用額が変更される。
【００９９】
メインメニュー１１０において表示されている「工事工程の表示」の実行ボタン１１１ｆをキーボード１０６又はマウス１０７を用いて選択して実行することにより、表計算アプリケーションが立ち上がるとともに、補助メモリ１０３に記憶されている手続一覧データを呼び出し、表計算アプリケーションの作業領域に図８に表されている手続一覧画面１７０が表示される。
【０１００】
この手続一覧画面１７０では、建築工事に必要とされる各工事と各種申請手続の一覧がフローチャートとして表されている。
【０１０１】
ここで、申請手続が表されている図形の一つをキーボード１０６又はマウス１０７を用いて選択して実行すると（ここでは、工事工程の最も左端に表示されている引継ぎ会が表されている図形１７１を選択・実行）、図９に表されているように、その際に必要とされる書類（ここでは、建築工事届）が表示される。
【０１０２】
このようにして表示された書類は、加筆又は修正が可能にされており、表示画面上でキーボード１０６又はマウス１０７により加筆・修正を行い、プリンター１０８で印刷することにより、書類を容易に作成することができる。
【０１０３】
また、各種申請手続は、建築工事の各工程に対応して表示される。このため、各工程の進捗状況に応じて、各種申請手続を行う時期を具体的に把握することができる。
【０１０４】
さらに、各種申請手続と建築工事の各工程には、特定の欄の日付を入力することにより、この日付に基づいてそれぞれ予め計算される日程が表示されるようになっている。
【０１０５】
この点、本実施形態においては、例えば、引継ぎ会の図形１７１の日付欄１７１ａに１月２５日の月日を入力すると、その日を基準として、他の各工程及び申請手続の欄には、いつまでにそれらの工程及び申請手続をなすべきかを示す月日が表示される。
【０１０６】
このため、各工程の日程及び申請手続を行う時期を一目で把握し、確認することができる。
【０１０７】
また、各種申請手続には法定期限が定められていることが多いが、各種申請手続の日程をこのように明示することにより、各種申請手続のし忘れを防止し、期限の遵守を確実に実行することができる。
【０１０８】
また、何らかの理由で建築工事が遅れることもある。例えば、図８では、基礎完了の図形１７２の日付表示欄１７２ａは３月１日の予定になっているが、これが３日間遅れたような場合には、この日付欄１７２ａの「３／１」を「３／４」に上書きすることにより、ＣＰＵ１０１は、この新たな日付を基準として、他の日付の再計算を行い、「基礎完了」以降の各項目における日付欄の表示を新たな日付に置き換えする。具体的には、「基礎完了」以降の各項目における日付をそれぞれ３日遅れ（土・日等の休祭日が入る場合には、その次の日）の日付が表示される。
【０１０９】
このように、建築工事の途中で、当初の日程が変わった場合であっても、一目でその後の日程の変更を把握することが可能である。
【０１１０】
また、メインメニュー１１０において表示されている「営業進捗表の表示」の実行ボタン１１１ｅをキーボード１０６又はマウス１０７を用いて選択して実行することにより、表計算アプリケーションが立ち上がるとともに、補助メモリ１０３に記憶されている顧客間手続一覧データを呼び出し、表計算アプリケーションの作業領域に図１０に表されている顧客間手続一覧画面１８０が表示される。
【０１１１】
この顧客間手続一覧画面１８０では、建築工事に関連して顧客との間で交わさなければならない顧客間手続の一覧が、フローチャートとして表されている。
【０１１２】
ここで、顧客間手続が表されている図形の一つをキーボード１０６又はマウス１０７を用いて選択して実行すると（ここでは、最上行に表示されている建築申込が表されている図形１８１を選択・実行）、図１１に表されているように、その際に必要とされる書類（ここでは、建築申込書  兼  敷地・地盤調査依頼書）が表示される。
【０１１３】
このようにして表示された書類は、加筆又は修正が可能にされており、表示画面上でキーボード１０６又はマウス１０７により加筆・修正を行い、プリンター１０８で印刷することにより、書類を容易に作成することができる。
【０１１４】
また、顧客間手続一覧画面１８０において、工事請負契約が表されている図形１８２をキーボード１０６又はマウス１０７を用いて選択して実行すると、図１２に表されている工事請負契約書１９０が表示される。
【０１１５】
ここで、工事請負契約書１９０には、少なくとも、支払期限を入力する欄１９１と、支払金額を入力する欄１９２と、が形成されており、キーボード１０６又はマウス１０７によりこれらの欄１９１、１９２に日付と金額を入力することができるようにされている。
【０１１６】
なお、工事請負契約書１９０において入力された日付と金額については、後述する入金予定表２１０にリンクされており、入金予定表２１０の所定の欄に金額が自動的に入力されるようになっている。
【０１１７】
メインメニュー１１０において表示されている「入出金管理システム」の実行ボタン１１１ｊをキーボード１０６又はマウス１０７を用いて選択して実行することにより、少なくとも「発注書類作成」の実行ボタンと、「入金予定表表示」の実行ボタンと、「支払い予定表表示」の実行ボタンと、「キャッシュフロー表表示」の実行ボタンと、を有するメニュー選択画面が表示される（図示せず）。
【０１１８】
そして、このメニュー選択画面において「発注書類作成」の実行ボタンをキーボード１０６又はマウス１０７を用いて選択して実行すると、図１３に表されている注文書２００の見本が表示される。
【０１１９】
この注文書２００については、少なくとも支払時期を入力する欄２０１と、支払金額を入力する欄２０２と、が設けられており、キーボード１０６又はマウス１０７を用いて日付及び金額を入力することができるようにされている。
【０１２０】
なお、注文書２００に入力された日付と金額については、後述する支払い予定表２２０にリンクされており、支払い予定表２２０の所定の欄に金額が自動的に入力されるようになっている。
【０１２１】
また、メニュー選択画面において「入金予定表表示」の実行ボタンをキーボード１０６又はマウス１０７を用いて選択して実行すると、表計算アプリケーションが立ち上がるとともに、この表計算アプリケーションの作業領域に図１４に表されている入金予定表２１０が表示される。
【０１２２】
入金予定表２１０は、上述した基本登録情報データに入力されている顧客毎に表計算アプリケーションにおける行が割り当てられており、上述した工事請負契約書１９０において入力された日付の属する月毎に、工事請負契約書１９０に入力された支払金額が所定のセルに表示されるようになっている。
【０１２３】
なお、この入金予定表２１０についても、キーボード１０６又はマウス１０７を用いて加筆・修正が可能となっている。
【０１２４】
また、メニュー選択画面において「支払い予定表表示」の実行ボタンをキーボード１０６又はマウス１０７を用いて選択して実行すると、表計算アプリケーションが立ち上がるとともに、この表計算アプリケーションの作業領域に図１５に表されている支払い予定表２２０が表示される。
【０１２５】
この支払い予定表２２０は、上述した基本登録情報データに入力されている顧客毎に表計算アプリケーションにおける行が割り当てられており、上述した発注書２００において入力された日付の属する月毎に、発注書２００に入力された払い込み金額が所定のセルに表示されるようになっている。
【０１２６】
なお、この支払い予定表２２０についても、キーボード１０６又はマウス１０７を用いて加筆・修正が可能となっている。
【０１２７】
さらに、メニュー選択画面において「キャッシュフロー表表示」の実行ボタンをキーボード１０６又はマウス１０７を用いて選択して実行すると、表計算アプリケーションが立ち上がるとともに、この表計算アプリケーションの作業領域に図１６に表されているキャッシュフロー表２３０が表示される。
【０１２８】
このキャッシュフロー表２３０は、上述した基本登録情報データに入力されている全ての顧客における入金予定金額と、支払い予定金額と、入金予定金額から支払い予定金額を差し引いた合計金額と、合計金額を年度ごとに累積させた年後累積金額と、に表計算アプリケーションにおける行が割り当てられており、上述した入金予定表２１０及び支払い予定表２２０において入力された金額に基づいて月毎にＣＰＵ１０１により演算され、表示されるようになっている。
【０１２９】
なお、このキャッシュフロー表２３０についても、キーボード１０６又はマウス１０７を用いて加筆・修正が可能となっている。
【０１３０】
以上に記載した建築業務支援システム１００では、入力画面１４０に設けられている建物概要領域１４１において、建築面積、床面積、一階外壁長、一階袖壁長、一階出隅箇所数、二階外壁長、二階袖壁長、二階出隅箇所数、三階外壁長、三階袖壁長、三階出隅箇所数、屋根形状、屋根勾配、断熱方法、耐力フレームといった入力項目が形成されているが、入力項目としてはこれらに限定されるわけではなく、これらの入力項目から任意の項目を除くことも可能であるし、他の入力項目をさらに設けることも可能である。
【０１３１】
また、以上に記載した建築業務支援システム１００では、入力画面１４０に設けられている部屋情報領域１４２には、一階室名入力項目１４２ａと、二階室名入力項目１４２ｂと、三階室名入力項目１４２ｃと、和室帖数合計入力項目１４２ｄと、ビルトインガレージ帖数入力項目１４２ｅと、が設けられているが、これらの入力項目に限定されるわけではなく、これらの入力項目から任意の項目を除くことも可能であるし、他の入力項目をさらに設けることも可能である。
【０１３２】
さらに、調査費等領域１４３においても、任意の入力項目を除くことも、他の入力項目をさらに設けることも可能である。
【０１３３】
また、以上に記載した建築業務支援システム１００においては、工事日程と申請手続のフローチャートが一画面上に表示されるようになっているが、これらが別個の画面上に表示されるようにすることも可能である。
【図面の簡単な説明】
【０１３４】
【図１】本発明の一実施形態に係る建築業務支援システム１００の概略構成図。
【図２】メインメニュー１１０の概略図。
【図３】顧客情報の入力画面１２０の概略図。
【図４】検索画面１３０の概略図。
【図５】入力画面１４０の概略図。
【図６】建物概要領域１４１の入力項目に対応する費用の一覧表示画面１５０の概略図。
【図７】部屋情報領域１４２の入力項目に対応する費用の一覧表示画面１６０の概略図。
【図８】申請手続一覧画面１７０の概略図。
【図９】建築工事届の概略図。
【図１０】顧客間手続一覧画面１８０の概略図。
【図１１】建築申込書  兼  敷地・地盤調査依頼書の概略図。
【図１２】工事請負契約書１９０の概略図。
【図１３】注文書２００の概略図。
【図１４】入金予定表２１０の概略図。
【図１５】支払い予定表２２０の概略図。
【図１６】キャッシュフロー表２３０の概略図。
【符号の説明】
【０１３５】
１００  建築業務支援システム
１０１  ＣＰＵ
１０２  主メモリ
１０３  補助メモリ
１０４  パーソナルコンピュータ
１０５  ディスプレイ
１０６  キーボード
１０７  マウス
１０８  プリンター
【図１】
2006113940.tif 000003
【図２】
2006113940.tif 000004
【図３】
2006113940.tif 000005
【図４】
2006113940.tif 000006
【図５】
2006113940.tif 000007
【図６】
2006113940.tif 000008
【図７】
2006113940.tif 000009
【図８】
2006113940.tif 000010
【図９】
2006113940.tif 000011
【図１０】
2006113940.tif 000012
【図１１】
2006113940.tif 000013
【図１２】
2006113940.tif 000014
【図１３】
2006113940.tif 000015
【図１４】
2006113940.tif 000016
【図１５】
2006113940.tif 000017
【図１６】
2006113940.tif 000018